【事件の表示】
　上記当事者間の特許第３９８４６３２号発明「鋏」の特許無効審判事件について、次のとおり審決する。
【結　論】
　訂正を認める。
　本件審判の請求は、成り立たない。
　審判費用は、請求人の負担とする。
【理　由】
第１　手続の経緯
　本件特許第３９８４６３２号の請求項１乃至１０に係る発明についての出願は、平成１８年４月５日（優先権主張平成１７年８月９日）に特許出願され、平成１９年７月１３日にその発明について特許の設定登録がなされたものである。  
　これに対して、平成２０年５月１日に請求人アーネスト株式会社より無効審判の請求がなされたところ、平成２０年７月２５日に被請求人兼松工業株式会社より審判事件答弁書が提出されるとともに訂正請求がなされ、平成２０年９月１８日に請求人より弁駁書が提出され、平成２１年２月６日に請求人及び被請求人よりそれぞれ口頭審理陳述要領書が提出されるとともに、第１回口頭審理が実施された。
　
　
第２　訂正の適否
１　訂正の内容
　平成２０年７月２５日付けの訂正請求（以下、「本件訂正」という。）は、本件特許第３９８４６３２号の願書に添付した明細書及び特許請求の範囲を、訂正請求書に添付した訂正した明細書及び特許請求の範囲のとおりに訂正することを求めるものであり、その内容は以下のとおりである。 
　なお、下線は対比の便宜のために当審において付したものである。
 　 
（１）訂正事項Ａ
　願書に添付した特許請求の範囲の請求項１の記載を、
 「【請求項１】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸部と凹部とを刃縁に沿って交互に並設した凹凸刃を設け、
  前記第一の鋏片及び第二の鋏片の閉動作時において、前記凹凸刃は前記第一の鋏片の刃板側の側面全体が第一の鋏片の刃板に設けた刃縁と摺接することを特徴とする鋏。」から、
 　　
 「【請求項１】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には
前記一対の鋏片の開閉方向を含む面に沿って形成された
刃板の厚み方向の両側に開放された
  前記第一の鋏片及び第二の鋏片の閉動作時において、前記凹凸刃は前記第一の鋏片の刃板側の側面全体が第一の鋏片の刃板に設けた刃縁と摺接することを特徴とする鋏。」と訂正する。  
 　  
（２）訂正事項Ｂ 
　願書に添付した特許請求の範囲の請求項８の記載を、
　「【請求項８】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸刃を設け、
  前記第一の鋏片及び第二の鋏片の閉動作時において、前記凸刃は前記第一の鋏片の刃板側の側面全体が第一の鋏片の刃板に設けた刃縁と摺接することを特徴とする鋏。」から、
　
　「【請求項８】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には
前記一対の鋏片の開閉方向を含む面に沿って形成された
  前記第一の鋏片及び第二の鋏片の閉動作時において、前記凸刃は前記第一の鋏片の刃板側の側面全体が第一の鋏片の刃板に設けた刃縁と摺接することを特徴とする鋏。」と訂正する。  
　
（３）訂正事項Ｃ 
　願書に添付した特許請求の範囲の請求項９の記載を、
　「【請求項９】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、
  この第一の鋏片の両刃板において回動支持部と刃先部との間に設けた刃縁にはその刃縁の延設方向に沿って延びる縦切刃を設け、
  この第二の鋏片の刃板において回動支持部と刃先部との間に設けた刃縁には凸部を設け、この凸部を含む刃縁で厚み方向の両側には両鋏片の開閉時にこの第一の鋏片の両刃板の縦切刃に噛み合う縦切刃を設けるとともに、この第二の鋏片の刃板における刃縁の凸部でこの両縦切刃間には横切刃を設け、
  前記第一の鋏片及び第二の鋏片の閉動作時において、前記凸部は前記第一の鋏片の刃板側の側面全体が第一の鋏片の刃板に設けた刃縁と摺接することを特徴とする鋏。」から、
　
　「【請求項９】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、
  この第一の鋏片の両刃板において回動支持部と刃先部との間に設けた刃縁にはその刃縁の延設方向に沿って延びる縦切刃を設け、
  この第二の鋏片の刃板において回動支持部と刃先部との間に設けた刃縁には
前記一対の鋏片の開閉方向を含む面に沿って形成された
  前記第一の鋏片及び第二の鋏片の閉動作時において、前記凸部は前記第一の鋏片の刃板側の側面全体が第一の鋏片の刃板に設けた刃縁と摺接することを特徴とする鋏。」と訂正する。
　
（４）訂正事項Ｄ 
　願書に添付した明細書の段落【０００７】の記載を、 
　「【０００７】
　請求項１の発明にかかる鋏は、第１〜３実施形態及びそれらの実施形態の別例１〜９に対応し、下記のように構成されている。
  回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には凸部１２と凹部１３とを刃縁１０に沿って交互に並設した凹凸刃１１を設けている。両鋏片１，２の閉動作時において、凹凸刃１１は第一の鋏片１の刃板８側の側面全体が第一の鋏片１の刃板８に設けた刃縁２７と摺接する。」から、
　
 「【０００７】
　請求項１の発明にかかる鋏は、第１〜３実施形態及びそれらの実施形態の別例１〜９に対応し、下記のように構成されている。
　回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には
前記一対の鋏片１，２の開閉方向を含む面に沿って形成された
刃板の厚み方向の両側に開放された
　
（５）訂正事項Ｅ 
　願書に添付した明細書の段落【００１５】の記載を、 
　「【００１５】
　請求項８の発明にかかる鋏は、第４実施形態に対応し、下記のように構成されている。
　回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には凸刃４４を設けている。両鋏片１，２の閉動作時において、凸刃４４は第一の鋏片１の刃板８側の側面全体が第一の鋏片１の刃板８に設けた刃縁２７と摺接する。」から、
　
　「【００１５】
　請求項８の発明にかかる鋏は、第４実施形態に対応し、下記のように構成されている。
　回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には
前記一対の鋏片１，２の開閉方向を含む面に沿って形成された
　
（６）訂正事項Ｆ 
　願書に添付した明細書の段落【００１７】の記載を、
　「【００１７】
　請求項９の発明にかかる鋏は、第４実施形態に対応し、下記のように構成されている。
  回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第一の鋏片１の両刃板８において回動支持部３と刃先部２７ａとの間に設けた刃縁２７にはその刃縁２７の延設方向Ｘに沿って延びる縦切刃２８を設けている。この第二の鋏片２の刃板９において回動支持部３と刃先部１０ａとの間に設けた刃縁１０には凸部４４を設け、この凸部４４を含む刃縁１０で厚み方向Ｚの両側には両鋏片１，２の開閉時にこの第一の鋏片１の両刃板８の縦切刃２８に噛み合う縦切刃２６，４５を設けるとともに、この第二の鋏片２の刃板９における刃縁１０の凸部４４でこの両縦切刃２８間には横切刃４６を設けている。両鋏片１，２の閉動作時において、凸部４４は第一の鋏片１の刃板８側の側面全体が第一の鋏片１の刃板８に設けた刃縁２７と摺接する。」から、
　
　「【００１７】
　請求項９の発明にかかる鋏は、第４実施形態に対応し、下記のように構成されている。
　回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第一の鋏片１の両刃板８において回動支持部３と刃先部２７ａとの間に設けた刃縁２７にはその刃縁２７の延設方向Ｘに沿って延びる縦切刃２８を設けている。この第二の鋏片２の刃板９において回動支持部３と刃先部１０ａとの間に設けた刃縁１０には
前記一対の鋏片１，２の開閉方向を含む面に沿って形成された
　
 ２　訂正の目的の適否、新規事項の有無、及び特許請求の範囲の拡張・変更の存否  
（１）訂正事項Ａについて
　訂正事項Ａにおいて、「前記一対の鋏片の開閉方向を含む面に沿って形成された」とする訂正事項（以下、「訂正事項Ａ１」という。）は、「凸部」の構成を限定するものであるから、特許請求の範囲の減縮を目的とする訂正に該当する。また、「刃板の厚み方向の両側に開放された」とする訂正事項（以下、「訂正事項Ａ２」という。）は、「凹部」の構成を限定するものであるから、特許請求の範囲の減縮を目的とする訂正に該当する。 
　したがって、訂正事項Ａは、特許請求の範囲の減縮を目的とする訂正に該当する。 　  
　そして、訂正事項Ａ１については、願書に添付した図面の、第１図（ｂ）、第２図（ａ）及び（ｄ）、第３図（ａ）、第４図（ａ）、第６図ないし第１４図の（ａ）に刃板の厚み方向であるＺ方向からみた凸部（１２）が示されており、また、第２図（ｅ）、第６図ないし第１４図の（ｂ）に刃板の幅方向であるＹ方向から見た凸部（１２）が示されており、さらに、第２図（ｃ）、第３図（ｃ）に刃板１０の延設方向Ｘから見た刃縁１０が示されており、そして、一対の鋏片は、回動支持部３を中心として円弧状に相対回動することにより開閉するものであるから、凸部が第１図（ｂ）、第２図（ａ）、第３図（ａ）、第４図（ａ）において紙面に平行な面である「一対の鋏片の開閉方向を含む面」に沿って形成されていることは明らかである。
　また、訂正事項Ａ２については、第１図（ｂ）、第２図（ａ）及び（ｄ）、第３図（ａ）、第４図（ａ）、第６図ないし第１４図の（ａ）に刃縁（１０）の厚み方向であるＺ方向からみた凹部（１３）が示されており、これらの図から凹部が刃板の厚み方向の両側に開放されていることは明らかである。
　したがって、訂正事項Ａは、願書に添付した明細書、特許請求の範囲又は図面に記載した事項の範囲内のものであるから、新規事項の追加には該当せず、また、実質上特許請求の範囲を拡張し、又は変更するものでもない。
　
（２）訂正事項Ｂについて
　訂正事項Ｂは、「凸刃」の構成を限定するものであるから、特許請求の範囲の減縮を目的とする訂正に該当する。
　そして、訂正事項Ｂは、願書に添付した図面の第１５図−１６図の記載に基づくものであって、願書に添付した明細書、特許請求の範囲又は図面に記載した事項の範囲内のものであるから、新規事項の追加には該当せず、また、実質上特許請求の範囲を拡張又は変更するものでもない。
　
（３）訂正事項Ｃについて
　訂正事項Ｃは、「凸部」の構成を限定するものであるから、特許請求の範囲の減縮を目的とする訂正に該当する。
　そして、訂正事項Ｃは、願書に添付した図面の第１５図−１６図の記載に基づくものであって、願書に添付した明細書、特許請求の範囲又は図面に記載した事項の範囲内のものであるから、新規事項の追加には該当せず、また、実質上特許請求の範囲を拡張又は変更するものでもない。
　
（４）訂正事項Ｄ〜Ｆについて
　訂正事項Ｄ〜Ｆは、それぞれ訂正事項Ａ〜Ｃによる特許請求の範囲の記載の訂正に伴い、特許請求の範囲の記載と発明の詳細な説明の記載との整合を図るためのものであるから、明りょうでない記載の釈明を目的とする訂正に該当する。
　そして、訂正事項Ｄ〜Ｆは、新規事項の追加には該当せず、実質上特許請求の範囲を拡張し、又は変更するものでもない。 
  
３．訂正の適否についてのまとめ
　以上のとおりであるから、本件訂正は、特許法第１３４条の２第１項ただし書き及び同条第５項において準用する特許法第１２６条第３項及び第４項の規定に適合するので、訂正を認める。
　
　
第３　請求人の主張の概要
 　請求人は、下記甲第１ないし７号証を提出し、本件特許の請求項１ないし１０に係る発明は、甲第１ないし７号証に記載された発明に基づいて当業者が容易に発明をすることができたものであるから、特許法第２９条第２項の規定により特許を受けることができないものであると主張するとともに、本件特許の請求項１、２及び９に係る発明は明確ではないから、特許法第３６条第６項第２項の規定により特許を受けることができないものであると主張している。
　
[甲号各証］
甲第１号証：特開平１１−９００５７号公報  
甲第２号証：実開昭６２−７６９７０号公報  
甲第３号証：フランス特許出願公開第２６０１２７９号
甲第４号証：特許第２６５２３６１号公報
甲第５号証：特開平５−７６６６０号公報
甲第６号証：特開２００５−８７２５６号公報
甲第７号証：特開２００２−１５９７６３号公報
　
　
第４　被請求人の主張の概要
　被請求人は、上記請求人の主張に対して、本件特許の請求項１ないし１０に係る発明は、甲第１ないし７号証に記載された発明に基づいて当業者が容易に発明をすることができたものではなく、特許法第２９条第２項の規定により特許を受けることができない発明には該当しない。また、本件特許の請求項１、２及び９に係る発明は明確であり、特許法第３６条第６項第２号の規定により特許を受けることができない発明には該当しないと反論している。  
 　  
 　  
第５　当審の判断 
１　特許法第２９条第２項について
（１）本件発明の認定
　上述のとおり、本件訂正が認められたことにより、本件特許の請求項１ないし１０に係る発明（以下、「本件発明１」ないし「本件発明１０」という。）は、訂正された明細書及び特許請求の範囲と図面の記載からみて、その特許請求の範囲の請求項１ないし１０に記載された次の事項により特定されるとおりのものと認める。
　「【請求項１】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には前記一対の鋏片の開閉方向を含む面に沿って形成された凸部と刃板の厚み方向の両側に開放された凹部とを刃縁に沿って交互に並設した凹凸刃を設け、
　前記第一の鋏片及び第二の鋏片の閉動作時において、前記凹凸刃は前記第一の鋏片の刃板側の側面全体が第一の鋏片の刃板に設けた刃縁と摺接することを特徴とする鋏。
【請求項２】
　前記第一の鋏片の両刃板において回動支持部と刃先部との間に設けた刃縁にはその刃縁の延設方向に沿って延びる縦切刃を設け、前記第二の鋏片の刃板において刃縁の凹凸刃の凸部及び凹部で厚み方向の両側には両鋏片の開閉時にこの第一の鋏片の両刃板の縦切刃に噛み合う縦切刃を設けるとともに、この第二の鋏片の刃板において刃縁の凹凸刃の凸部でこの両縦切刃間に横切刃を設けて刃縁の延設方向に沿って並設したことを特徴とする請求項１に記載の鋏。
【請求項３】
　前記凹凸刃は、回動支持部側における基端部と尖端部との距離が刃先部側における基端部と尖端部との距離よりも短くなるような側面視鋸刃状に形成され、前記尖端部に横切刃が設けられていることを特徴とする請求項２に記載の鋏。
【請求項４】
　前記第二の鋏片の刃板において凹凸刃は、刃先部から回動支持部側に延びる先端側刃縁域を外してその先端側刃縁域から回動支持部側に延びる基端側刃縁域に設けられていることを特徴とする請求項１〜請求項３に記載の鋏。
【請求項５】
　前記第二の鋏片の刃板において凹凸刃は、刃先部から回動支持部側に延びる刃縁域に設けられていることを特徴とする請求項１〜請求項３に記載の鋏。
【請求項６】
　前記凹凸刃の凸部は、刃縁の延設方向で互いに並ぶ両横切刃と刃縁の厚み方向で互いに並ぶ両縦切刃とで囲まれた端部で突出する押圧部を有していることを特徴とする請求項２に記載の鋏。
【請求項７】
　前記凹凸刃の凸部は尖端部を有し、その凸部の尖端部に前記横切刃を設けたことを特徴とする請求項２に記載の鋏。
【請求項８】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には前記一対の鋏片の開閉方向を含む面に沿って形成された凸刃を設け、
　前記第一の鋏片及び第二の鋏片の閉動作時において、前記凸刃は前記第一の鋏片の刃板側の側面全体が第一の鋏片の刃板に設けた刃縁と摺接することを特徴とする鋏。
【請求項９】
　回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、
　この第一の鋏片の両刃板において回動支持部と刃先部との間に設けた刃縁にはその刃縁の延設方向に沿って延びる縦切刃を設け、
　この第二の鋏片の刃板において回動支持部と刃先部との間に設けた刃縁には前記一対の鋏片の開閉方向を含む面に沿って形成された凸部を設け、この凸部を含む刃縁で厚み方向の両側には両鋏片の開閉時にこの第一の鋏片の両刃板の縦切刃に噛み合う縦切刃を設けるとともに、この第二の鋏片の刃板における刃縁の凸部でこの両縦切刃間には横切刃を設け、
　前記第一の鋏片及び第二の鋏片の閉動作時において、前記凸部は前記第一の鋏片の刃板側の側面全体が第一の鋏片の刃板に設けた刃縁と摺接することを特徴とする鋏。
【請求項１０】
　前記第二の鋏片の刃板における刃縁で凸部は刃先部から連続して形成されていることを特徴とする請求項９に記載の鋏。」 
 　 
（２）甲号証の記載内容 
 　請求人が提出した甲第１ないし７号証のうち、甲第１及び７号証には以下の事項が記載されている。
ア　甲第１号証の記載内容
（ア）段落【０００１】 
 「【０００１】
　【産業上の利用分野】本発明は理容用鋏に関するものである。」
 　  
（イ）段落【０００６】〜【０００１０】 
　「【０００６】
【発明の実施の形態】次に本発明の実施形態について説明する。実施形態に示した理容用鋏は、通常の鋏と同様に二本の鋏部材１，２で構成されるもので、特に一方の鋏部材１は、一端側に指孔部１１を設けると共に、他方側に、所定の間隔ａを有せしめて対向させた二本の切り刃体１２ａ，１２ｂを設けたものである。この対向切り刃体１２ａ，１２ｂは、対向面側で同一側縁に刃部１３ａ，１３ｂを設け、表裏対称としたものである。尚間隔ａは、先方に行くほど狭くなるように形成する。
【０００７】他方の鋏部材２は、一端側に指孔部２１を設け、他方側に切り刃体（中間切り刃体）２２を形成したもので、特にこの中間切り刃体２２は、前記の鋏部材１の二本の対向切り刃体１２ａ，１２ｂの間隔ａに圧入される厚みで、先方に向かって順次刃表面２３ａと刃裏面２３ｂを交互に形成して刃部縁を矩形波状にしたもので、その刃部縁（長手方向の縁部）に、各対向切り刃体１２ａ，１２ｂの各刃部１３ａ，１３ｂと摺接する刃部２４ａ，２４ｂを形成したものである。更に刃部縁の短手方向縁２５は、刃部２４ａ，２４ｂより峰側に後退させ、更に刃表面２３ａから刃裏面２３ｂに移行する刃裏面２３ｂの段差部２６は、角面とせずに弧状面に形成する。
【０００８】而して鋏部材１の対向切り刃体１２ａ，１２ｂの間隔ａ内に他方の鋏部材２の中間切り刃体２２を差し入れて、各切り刃体１２ａ，１２ｂ，２２の基部で交叉せしめ、交叉部を枢結３してなるものである。
【０００９】前記の鋏での調髪は、一般の理容用鋏と同様に対向切り刃体１２ａ，１２ｂと、中間切り刃体２２との開閉操作によって行うもので、毛髪は、刃部１３ａと刃部２４ａの剪断作用及び刃部１３ｂと刃部２４ｂの剪断作用によって切断される。従って毛髪は一直線に切り揃えられるものではなく、矩形波型に切断されることになる。
【００１０】尚特に中間切り刃体２２の段差部２６を円弧面とし、且つ段差刃部の間の短手方向縁２５を後退させたものであるから、鋏の開閉操作に際して短手方向縁２５及び段差部２６が抵抗となることがなくスムーズに切断操作を行うことができ、更に対向切り刃体１２ａ，１２ｂの間隔ａを先狭として、剪断作用をなす刃部が互いに強く摺動するようにしたものであるから、充分な相応の切れ味を具備することになるものである。」
　
（ウ）図面の第４図
　第４図からは、中間切り刃体２２が凹凸形状を有することが看取される。
　　
イ　甲第１号証記載の発明の認定（その１）　　
　上記摘記事項アの（イ）段落【０００７】及び（ウ）の記載からみて、中間切り刃体２２は、刃縁部を矩形波状にしたもので、その刃部縁（長手方向の縁部）に刃部２４ａ，２４ｂを形成したものであるから、中間切り刃体２２には、中間切り刃体２２の厚み方向に突出する凸部と厚み方向に凹んだ凹部とを有する凹凸刃が設けられているということができる。
　そして、上記摘記事項アの（イ）段落【０００９】の記載からみて、中間切り刃体２２の対向切り刃体１２ａ，１２ｂ側の側面のうち、少なくとも刃部２４ａ，２４ｂは一方の鋏部材１の対向切り刃体１２ａ，１２ｂに設けた刃部１３ａ，１３ｂと摺接することは明らかであるから、中間切り刃体２２の凹凸刃の一方の鋏部材１の対向切り刃体１２ａ，１２ｂ側の側面のうち、凸部が形成された部分の少なくとも一部が一方の鋏部材１の対向切り刃体１２ａ，１２ｂに設けた刃部１３ａ，１３ｂと摺接するということができる。
　よって、これらの事項を技術常識を勘案しながら本件発明１に照らして整理すると、甲第１号証には、次の発明（以下、「甲第１号証記載の発明１」という。）が記載されていると認められる。
　　　
[甲第１号証記載の発明１]
　「枢結３した部分で互いに開閉動可能に支持した二本の鋏部材１，２のうち、一方の鋏部材１には対向させた二本の対向切り刃体１２ａ，１２ｂを備え、他方の鋏部材２にはこの一方の鋏部材１の両対向切り刃体１２ａ，１２ｂ間に挿入される中間切り刃体２２を備え、この他方の鋏部材２の中間切り刃体２２において枢結３した部分と刃先部との間に設けた刃部縁には中間切り刃体２２の厚み方向に突出する凸部と中間切り刃体２２の厚み方向に凹んだ凹部とを刃部縁に沿って交互に並設した凹凸刃を設け、
　前記一方の鋏部材１及び他方の鋏部材２の閉動作時において、前記凹凸刃は前記一方の鋏部材１の対向切り刃体１２ａ，１２ｂ側の側面のうち凸部が形成された部分の少なくとも一部が一方の鋏部材１の対向切り刃体１２ａ，１２ｂに設けた刃部縁と摺接する鋏。」
　　
ウ　甲第１号証記載の発明の認定（その２）
　さらに、上記イで述べたとおり、中間切り刃体２２には、凹凸刃が設けられていると言うことができ、凹凸刃は凸刃を含むことから、中間切り刃体２２には凸刃が設けられているということができる。
　そして、上記摘記事項アの（イ）段落【０００９】の記載からみて、中間切り刃体２２の対向切り刃体１２ａ，１２ｂ側の側面のうち、少なくとも刃部２４ａ，２４ｂは一方の鋏部材１の対向切り刃体１２ａ，１２ｂに設けた刃部１３ａ，１３ｂと摺接することは明らかであるから、中間切り刃体２２に設けられた凸刃の一方の鋏部材１の対向切り刃体１２ａ，１２ｂ側の凸刃が形成された部分の少なくとも一部が一方の鋏部材１の対向切り刃体１２ａ，１２ｂに設けた刃部縁と摺接するということができる。
　よって、これらの事項を技術常識を勘案しながら本件発明８に照らして整理すると、甲第１号証には、次の発明（以下、「甲第１号証記載の発明２」という。）が記載されていると認められる。
　
[甲第１号証記載の発明２]
　「枢結３した部分で互いに開閉動可能に支持した二本の鋏部材１，２のうち、一方の鋏部材１には対向させた二本の対向切り刃体１２ａ，１２ｂを備え、他方の鋏部材２にはこの一方の鋏部材１の両対向切り刃体１２ａ，１２ｂ間に挿入される中間切り刃体２２を備え、この他方の鋏部材２の中間切り刃体２２において枢結３した部分と刃先部との間に設けた刃部縁には中間切り刃体２２の厚み方向に突出する凸刃を設け、
　前記一方の鋏部材１及び他方の鋏部材２の閉動作時において、前記凸刃は前記一方の鋏部材１の対向切り刃体１２ａ，１２ｂ側の凸刃が形成された部分の少なくとも一部が一方の鋏部材１の対向切り刃体１２ａ，１２ｂに設けた刃部縁と摺接する鋏。」
　　
エ　甲第１号証記載の発明の認定（その３）
　さらに、上記イで述べたとおり、上記摘記事項アの（イ）段落【０００９】の記載からみて、中間切り刃体２２は、刃部縁を矩形波状にしたもので、その刃部縁（長手方向の縁部）に対向切り刃体１２ａ，１２ｂの各刃部１３ａ，１３ｂと摺接する刃部２４ａ，２４ｂを形成したものであるから、中間切り刃体２２が厚み方向に突出する凸部を有し、該凸部を含む刃部縁で厚み方向の片側のみに刃部２４ａ，２４ｂが設けられているということができる。
　よって、これらの事項を技術常識を勘案しながら本件発明９に照らして整理すると、甲第１号証には、次の発明（以下、「甲第１号証記載の発明３」という。）が記載されていると認められる。
　　　
[甲第１号証記載の発明３]
　「枢結３した部分で互いに開閉動可能に支持した二本の鋏部材１，２のうち、一方の鋏部材１には対向させた二本の対向切り刃体１２ａ，１２ｂを備え、他方の鋏部材２にはこの一方の鋏部材１の両対向切り刃体１２ａ，１２ｂ間に挿入される中間切り刃体２２を備え、
　この一方の鋏部材１の両対向切り刃体１２ａ，１２ｂにおいて枢結３した部分と刃先部との間に設けた刃部縁にはその刃部縁の長手方向に沿って延びる刃部１３ａ，１３ｂを設け、
　この他方の鋏部材２の中間切り刃体２２において枢結３した部分と刃先部との間に設けた刃部縁には前記二本の鋏部材１，２の厚み方向に突出する凸部を設け、この凸部を含む刃部縁で厚み方向の片側のみに両鋏部材１，２の開閉時にこの一方の鋏部材１の両対向切り刃体１２ａ，１２ｂの刃部１３ａ，１３ｂに噛み合う刃部２４ａ，２４ｂを設け、前記一方の鋏部材１及び他方の鋏部材２の閉動作時において、前記凸部は前記一方の鋏部材１の対向切り刃体１２ａ，１２ｂ側の凸部が形成された部分の少なくとも一部が一方の鋏部材１の対向切り刃体１２ａ，１２ｂに設けた刃部縁と摺接する鋏。」
　
オ　甲第７号証の記載内容
（ア）段落【０００１】
　「【０００１】
　【発明の属する技術分野】本発明は、ペットボトルの栓の残留リングやラベルの切除に用いられるペットボトル処理用鋏に関するものである。」
　
（イ）段落【００１３】
　「【００１３】
　【実施例】以下本発明のペットボトル処理用鋏の実施例１を図に沿って詳細に説明する。図１は本発明のペットボトル処理用鋏の平面図である。図１において１，２はそれぞれ柄であり、ここを掴んで握ると支点３を中心に一方の刃４と他方の刃５とが回動し、相互に重なり合う。」
　
（ウ）段落【００１５】
　「【００１５】６は戻しばねであり、柄１，２を握る力を解除した時に柄１，２を元のように戻すものである。７は一方の刃４の刃先に設けられた引っ掛け部であり、８は他方の刃５の先端に設けた挟持突起である。そして挟持突起８は一方の刃４と対向する位置に設けられている。つまり引っ掛け部７から一方の刃４が連続的に形成され、挟持突起の形成された部分から他方の刃５が連続的に形成されている。」
　
（エ）段落【００１７】〜【００２２】
　「【００１７】本発明のペットボトル処理用鋏は以上のように構成され、以下その使用法について説明する。先ず、図２に示すようにペットボトル９の残留リング１０に引っ掛け部７を引っ掛ける。そして戻しばね６の弾性に抗して柄１，２を握ると、一方の刃４及び他方の刃５によって残留リング１０が切断される。
【００１８】この状態で、柄１，２を強く握ると図３に示すように挟持突起８は一方の刃４と対向する位置に設けられているため、残留リング１０は挟持突起８と一方の刃４によって挟まれる。従って、柄１，２を強く握ったままペットボトル９に対して、ペットボトル処理用鋏を引っ張ると残留リング１０はペットボトル９から外れる。
【００１９】つまり、図４に示すように残留リングの幅Ａより、他方の刃５の切断縁から挟持突起８の下端までの距離Ｂを大きく設定すると、残留リング１０が完全に切断された状態で残留リング１０は挟持突起８と一方の刃４によって挟まれる。
【００２０】従って本発明のペットボトル処理用鋏を用いると、ペットボトル９の残留リング１０に引っ掛け部７を引っ掛け、柄１，２を強く握ると残留リング１０が切断され、柄１，２を強く握ったままペットボトル処理用鋏を引っ張ると残留リング１０をペットボトル９から外すことができる。
【００２１】次に本発明のペットボトル処理用鋏を用いてペットボトル９のラベル１２を切断除去する方法について説明する。先ず図５に示すようにペットボトル９とラベル１２の間に引っ掛け部７を挿入する。すると引っ掛け部７に押されてペットボトル９の胴部９ａが凹むとともにラベル１２の下端１２ａが膨らんで一方の刃４の挿入される隙間ができる。
【００２２】この状態で一方の刃４をさらにラベル１２とペットボトル９の間に挿入しながら柄１，２を握ると一方の刃４と他方の刃５によってラベル１２が切断される。柄１，２の握りを緩めたり力を入れたりする動作を繰り返しながら一方の刃４の挿入を進めることによってラベル１２を完全に切断することができる。」
　
（オ）段落【００２６】〜【００２９】
　「【００２６】
【発明の効果】本発明のペットボトル処理用鋏は上記の如く構成したので、ペットボトルの残留リング１０に引っ掛け部７を引っ掛け、柄１，２を強く握ると残留リング１０が切断され、柄１，２を強く握ったままペットボトル処理用鋏を引っ張ると残留リング１０をペットボトル９から外すことができる。
【００２７】従って、一般の消費者でも簡単に栓の残留リングを取り外すことが可能で、ペットボトルから異種の材料である残留リングを簡単に除去できるので、ペットボトルの再資源化を容易に行うことのできる。
【００２８】また本発明のペットボトル処理用鋏は、残留リング１０に引っ掛け部７を引っ掛け、一般的な鋏やペンチを使用するように柄１，２を強く握るだけの操作で残留リング１０の処理を行うことができ、残留リング１０の除去作業を安全に行うことができる。
【００２９】さらに本発明のペットボトル処理用鋏は、他方の刃５を例えばステンレス鋼の板材から打ち抜きによって形成する際に同時に挟持部８を形成することができ、少ない工数で作ることができる。」
　
（カ）図面第１図
　第１図から、刃４と柄１及び刃５と柄２はそれぞれ一体に構成され、一対の鋏片を構成していることが看取される。
　
（キ）図面第３図及び第６図
　第３図及び第６図から、引っ掛け部７が、一対の刃４，５の開閉方向を含む面に沿って形成された凸形状を有することが看取される。
　
カ　甲第７号証記載の技術的事項の認定
　よって、これらの事項を技術常識を勘案しながら整理すると、甲第７号証には、次の技術的事項（以下、「甲第７号証記載の技術的事項」という。）が記載されていると認められる。
　
[甲第７号証記載の技術的事項]
　「一対の鋏片の開閉方向を含む面に沿って形成された引っ掛け部７を有する刃４を設けること。」
　
（３）対比・判断
ア　本件発明１について 
　本件発明１と、本件発明１に照らして整理した甲第１号証記載の発明１とを対比すると、甲第１号証記載の発明１の「枢結３した部分」は本件発明１の「回動支持部」に相当し、以下同様に「二本の鋏部材１，２」は「一対の鋏片」に、「一方の鋏部材１」は「第１の鋏片」に、「対向させた二本の」は「互いに並べた一対の」に、「対向切り刃体１２ａ，１２ｂ」は「刃板」に、「他方の鋏部材２」は「第二の鋏片」に、「中間切り刃体２２」は「刃板」に、「刃部縁」は「刃縁」に、それぞれ相当する。
　
　したがって、両者の一致点及び相違点は以下のとおりと認められる。  
　
［一致点］
　「回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸部と凹部とを刃縁に沿って交互に並設した凹凸刃を設けた鋏」である点。 
　
［相違点１］
　本件発明１では、凹凸刃が「一対の鋏片の開閉方向を含む面に沿って形成された凸部と刃板の厚み方向の両側に開放された凹部とを」を有し、「第一の鋏片及び第二の鋏片の閉動作時において、前記凹凸刃は前記第一の鋏片の刃板側の側面全体が第一の鋏片の刃板に設けた刃縁と摺接する」のに対し、
　甲第１号証記載の発明１では、凹凸刃が「刃板の厚み方向に突出する凸部と刃板の厚み方向に凹んだ凹部とを」有し、「第一の鋏片及び第二の鋏片の閉動作時において、前記凹凸刃は前記第一の鋏片の刃板側の側面のうち凸部が形成された部分の少なくとも一部が第一の鋏片の刃板に設けた刃縁と摺接する」点。
　
　上記相違点１について検討する。
　相違点１に係る本件発明１の、凹凸刃が「一対の鋏片の開閉方向を含む面に沿って形成された凸部と刃板の厚み方向の両側に開放された凹部とを」を有し、「第一の鋏片及び第二の鋏片の閉動作時において、前記凹凸刃は前記第一の鋏片の刃板側の側面全体が第一の鋏片の刃板に設けた刃縁と摺接する」という事項は、凹凸刃の
側面全体
　これに対し、甲第１号証記載の発明１は、上記摘記事項アの（ア）及び（イ）段落【０００９】の記載からみて、「理髪用鋏」であって、毛髪を一直線に切り揃えるのではなく、矩形波型に切断することを目的とするものである。よって、相違点１に係る甲第１号証記載の発明の、凹凸刃が「刃板の厚み方向に突出する凸部と刃板の厚み方向に凹んだ凹部とを」有し、「第一の鋏片及び第二の鋏片の閉動作時において、前記凹凸刃は前記第一の鋏片の刃板側の側面のうち凸部が形成された部分の少なくとも一部が第一の鋏片の刃板に設けた刃縁と摺接する」という事項は、凹凸刃と第一の鋏片の刃板に設けた刃縁との摺接部分においては、被切断物が矩形波型に切断されるという作用効果を奏するものということができる。
　よって、甲第１号証記載の発明１は、該摺接部分において被切断物を一直線に切断するという技術思想を開示するものではなく、また、それを示唆するものでもない。
　また仮に、甲第１号証記載の発明１の凹凸刃を、上記相違点１に係る本件発明１のごとく変更したとすれば、凹凸刃の
側面全体
　請求人は、平成２０年９月１８日付けの弁駁書において、甲第１号証に記載された発明１の凹凸刃の凹凸の向きを、本件発明のごとく、鋏の開閉面内に含まれるような凹凸の向き（以下、「向きＡ」という。）とすることは、当業者にとって容易である旨主張し、また、平成２１年２月６日付けの口頭審理陳述要領書においても、凹凸刃の凹凸の向きを上記向きＡとすることは、甲第３号証にも記載されたごとくよく知られた構造である旨主張している。
　しかしながら、上記のとおり甲第１号証記載の発明１において、凹凸刃の凹凸の向きを変更することは、甲第１号証記載の発明１の目的に反することとなり、上記変更を行う契機が存在しないことは明らかであるから、上記請求人の主張は採用することができない。
　そして、本件発明１は、上記相違点１に係る特定事項を具備することにより、願書に添付した明細書段落【００２４】記載のごとく「本発明は鋏にシュレッダー的機能を持たせることができる。」という格別の効果を奏するものである。
　したがって、本件発明１は、甲第１号証記載の発明１と周知技術とに基づいて当業者が容易に発明をすることができたものとすることはできない。
　さらに、甲第２ないし７号証のいずれにも、上記相違点１に係る本件発明１の特定事項は記載も示唆もされていないことから、甲第２ないし７号証について検討しても、本件発明１は、甲第１ないし７号証に基づいて当業者が容易に発明をすることができたものとすることはできない。
　　　　
イ　本件発明８について
　本件発明８と、本件発明８に照らして整理した甲第１号証記載の発明２とを対比すると、甲第１号証記載の発明２の「枢結３した部分」は本件発明８の「回動支持部」に相当し、以下同様に、「二本の鋏部材１，２」は「一対の鋏片」に、「一方の鋏部材１」は「第１の鋏片」に、「対向させた二本の」は「互いに並べた一対の」に、「対向切り刃体１２ａ，１２ｂ」は「刃板」に、「他方の鋏部材２」は「第二の鋏片」に、「中間切り刃体２２」は「刃板」に、「刃部縁」は「刃縁」に、それぞれ相当する。
　
　したがって、両者の一致点及び相違点は以下のとおりと認められる。  
　　
［一致点］
 「回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸刃を設けた鋏」である点。
　　
［相違点２］
　本件訂正発明８では、第二の鋏片の刃板の刃縁に「一対の鋏片の開閉方向を含む面に沿って形成された凸刃を設け、」「第一の鋏片及び第二の鋏片の閉動作時において、前記凸刃は前記第一の鋏片の刃板側の側面全体が第一の鋏片の刃板に設けた刃縁と摺接する」のに対し、
　甲第１号証記載の発明２では、第二の鋏片の刃板の刃縁に「刃板の厚み方向に突出する凸刃を設け」、「第一の鋏片及び第二の鋏片の閉動作時において、前記凸刃は前記第一の鋏片の刃板側の凸刃が形成された部分の少なくとも一部が第一の鋏片の刃板に設けた刃縁と摺接する」点。
 　　
　相違点２について検討する。
　相違点２に係る本件発明８の、第二の鋏片の刃板の刃縁に「一対の鋏片の開閉方向を含む面に沿って形成された凸刃を設け、」「第一の鋏片及び第二の鋏片の閉動作時において、前記凸刃は前記第一の鋏片の刃板側の側面全体が第一の鋏片の刃板に設けた刃縁と摺接する」という事項は、凸刃の
側面全体
　これに対し、甲第１号証記載の発明２は、上記摘記事項アの（ア）及び（イ）段落【０００９】の記載からみて、「理髪用鋏」であって、毛髪を一直線に切り揃えるのではなく、矩形波型に切断することを目的とするものである。よって、相違点２に係る甲第１号証記載の発明２の、第二の鋏片の刃板の刃縁に「刃板の厚み方向に突出する凸刃を設け」、「第一の鋏片及び第二の鋏片の閉動作時において、前記凸刃は前記第一の鋏片の刃板側の凸刃が形成された部分の少なくとも一部が第一の鋏片の刃板に設けた刃縁と摺接する」という事項は、凸刃により、被切断物が矩形波型のうちの一つの矩形部分として切断されるという作用効果を奏するものということができる。
　よって、甲第１号証記載の発明２は、該摺接部分において被切断部分を一直線に切断し、被切断物を短冊状に切り離すという技術思想を開示するものではなく、また、それを示唆するものでもない。
　一方、上記（２）のカで述べたとおり、甲第７号証には「一対の鋏片の開閉方向を含む面に沿って形成された引っ掛け部７を有する刃４を設けること。」という技術的事項が記載されている。
　ここで、甲第７号証記載の技術的事項における「引っ掛け部７」は、上記摘記事項オの（キ）の第３図及び第６図の記載からみて、一対の鋏片の開閉方向を含む面に沿って形成された凸形状を有することは明らかであるから、甲第７号証記載の技術的事項における「引っ掛け部７を有する刃４」は、凸形状を有する刃という限りにおいて、本件発明８の「凸刃」に相当するということができる。
　しかしながら、上記摘記事項オの（ア）、（エ）及び（オ）の記載からみて、甲第７号証記載の技術的事項における凸刃は、ペットボトルの残留リングを引っ掛けるため、あるいはラベルとペットボトルの間に挿入し両者間に隙間を形成するためのものであり、「理髪用鋏」である甲第１号証記載の発明２に適用しようとする契機がないことは明らかである。
　また仮に、甲第１号証記載の発明２の「第二の鋏片の刃板」において、甲第７号証記載の凸刃を適用し、かつ、第一の鋏片及び第二の鋏片の閉動作時において、前記凸刃を前記第一の鋏片の刃板側の側面全体が第一の鋏片の刃板に設けた刃縁と摺接するように変更したとすれば、両鋏片の摺接部分において被切断物が一直線状に切り揃えられることとなり、毛髪を矩形波型に切断するという甲第１号証の目的に反することとなることからみても、そのような変更を行う契機が存在しないことは明らかである。
　そして、本件発明８は、上記相違点２に係る特定事項を具備することにより、願書に添付した明細書段落【００２４】に記載された「本発明は文字区域３１を書面２９から短冊状の切断片４７として切り離し易くすることができる。」という格別の効果を奏するものである。 
　したがって、本件発明８は、甲第１号証記載の発明と甲第７号証記載の技術的事項とに基づいて当業者が容易に発明をすることができたものとすることはできない。
　さらに、甲第２ないし６号証のいずれにも、上記相違点２に係る本件発明８の特定事項は記載も示唆もされていないことから、甲第２ないし６号証について検討しても、本件発明８は、甲第１ないし７号証に基づいて当業者が容易に発明をすることができたものとすることはできない。
　　　
ウ　本件発明９について
　本件発明９と、本件発明９に照らして整理した甲第１号証記載の発明３とを対比すると、甲第１号証記載の発明３の「枢結３した部分」は本件発明９の「回動支持部」に相当し、以下同様に、「二本の鋏部材１，２」は「一対の鋏片」に、「一方の鋏部材１」は「第１の鋏片」に、「対向させた二本の」は「互いに並べた一対の」に、「対向切り刃体１２ａ，１２ｂ」は「刃板」に、「他方の鋏部材２」は「第二の鋏片」に、「中間切り刃体２２」は「刃板」に、「刃部縁」は「刃縁」に、「長手方向」は「延設方向」に、「刃部１３ａ，１３ｂ」は「縦切刃」に、「両鋏部材」は「両鋏片」に、「刃部２４ａ，２４ｂ」は「縦切刃」に、それぞれ相当する。
　
　したがって、両者の一致点及び相違点は以下のとおりと認められる。  
　
［一致点］
　「回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、
　この第一の鋏片の両刃板において回動支持部と刃先部との間に設けた刃縁にはその刃縁の延設方向に沿って延びる縦切刃を設け、
　この第二の鋏片の刃板において回動支持部と刃先部との間に設けた刃縁には凸部を設けた鋏」である点。
　
［相違点３］
　本件訂正発明９では、第二の鋏片の刃板の刃縁に「一対の鋏片の開閉方向を含む面に沿って形成された凸部を設け、この凸部を含む刃縁で厚み方向の両側には両鋏片の開閉時にこの第一の鋏片の両刃板の縦切刃に噛み合う縦切刃を設けるとともに、この第二の鋏片の刃板における刃縁の凸部でこの両縦切刃間には横切刃を設け、前記第一の鋏片及び第二の鋏片の閉動作時において、前記凸部は前記第一の鋏片の刃板側の側面全体が第一の鋏片の刃板に設けた刃縁と摺接する」のに対し、
　甲第１号証記載の発明３では、第二の鋏片の刃板の刃縁に「刃板の厚み方向に突出する凸部を設け、この凸部を含む刃縁で厚み方向の片側のみに両鋏片の開閉時にこの第一の鋏片の両刃板の縦切刃に噛み合う縦切刃を設け、前記第一の鋏片及び第二の鋏片の閉動作時において、前記凸部は前記第一の鋏片の刃板側の凸部が形成された部分の少なくとも一部が第一の鋏片の刃板に設けた刃縁と摺接する」点。
　
　相違点３について検討する。
　相違点３に係る本件発明９の、第二の鋏片の刃板の刃縁に「一対の鋏片の開閉方向を含む面に沿って形成された凸部を設け、この凸部を含む刃縁で厚み方向の両側には両鋏片の開閉時にこの第一の鋏片の両刃板の縦切刃に噛み合う縦切刃を設けると共に、この第二の鋏片の刃板における刃縁の凸部でこの両縦切刃間には横切刃を設け、前記第一の鋏片及び第二の鋏片の閉動作時において、前記凸部は前記第一の鋏片の刃板側の側面全体が第一の鋏片の刃板に設けた刃縁と摺接する」という事項は、凸部の第一の鋏片の刃板側の
側面全体
　これに対し、甲第１号証記載の発明３は、上記摘記事項アの（ア）及び（イ）段落【０００９】の記載からみて「理髪用鋏」において毛髪を一直線に切り揃えるのではなく、矩形波型に切断することを目的とするものである。よって、相違点３に係る甲第１号証記載の発明３の、第二の鋏片の刃板の刃縁に「刃板の厚み方向に突出する凸部を設け、この凸部を含む刃縁で厚み方向の片側のみに両鋏片の開閉時にこの第一の鋏片の両刃板の縦切刃に噛み合う縦切刃を設け、前記第一の鋏片及び第二の鋏片の閉動作時において、前記凸部は前記第一の鋏片の刃板側の凸部が形成された部分の少なくとも一部が第一の鋏片の刃板に設けた刃縁と摺接する」という事項は、厚み方向の片側のみに設けた縦切刃により、被切断物が矩形波型のうちの一つの矩形部分として切断されるという作用効果を奏するものということができる。
　よって、甲第１号証記載の発明３は、該摺接部分において被切断部分を一直線に切断し、被切断物を短冊状に切り離すという技術思想を開示するものではなく、また、それを示唆するものでもない。
　一方、上記（２）のカで述べたとおり、甲第７号証には「一対の鋏片の開閉方向を含む面に沿って形成された引っ掛け部７を有する刃４を設けること。」という技術的事項が記載されている。
　ここで、甲第７号証記載の技術的事項における「引っ掛け部７」は、上記摘記事項オの（キ）の第３図及び第６図の記載からみて、一対の鋏片の開閉方向を含む面に沿って形成された凸形状を有することは明らかであり、凸形状を有するという限りにおいて、本件発明９の「凸部」に相当するということができる。
　しかしながら、上記摘記事項オの（ア）、（エ）及び（オ）の記載からみて、甲第７号証記載の技術的事項における凸部は、ペットボトルの残留リングを引っ掛けるため、あるいはラベルとペットボトルの間に挿入し両者間に隙間を形成するためのものであり、「理髪用鋏」である甲第１号証記載の発明３に適用しようとする契機がないことは明らかである。
　また仮に、甲第１号証記載の発明３の「第二の鋏片の刃板」において、甲第７号証記載の凸部を適用し、かつ、第一の鋏片及び第二の鋏片の閉動作時において、前記凸部を前記第一の鋏片の刃板側の側面全体が第一の鋏片の刃板に設けた刃縁と摺接するように変更したとすれば、両鋏片の摺接部分において被切断物が一直線状に切り揃えられることとなり、毛髪を矩形波型に切断するという甲第１号証記載の発明３の目的に反することとなることからみても、そのような変更を行う契機が存在しないことは明らかである。
　さらに、甲第７号証記載の技術的事項における凸部は、厚み方向の両側に縦切刃が設けられているか否か及び前記両縦切刃間に横切刃が設けられているか、甲第７号証の記載からは明らかでない。
　そして、本件発明９は、上記相違点３に係る特定事項を具備することにより、願書に添付した明細書段落【００２４】に記載された「本発明は文字区域３１を書面２９から短冊状の切断片４７として切り離し易くすることができる。」という格別の効果を奏するものである。 
　したがって、本件発明９は、甲第１号証記載の発明３と甲第７号証記載の技術的事項とに基づいて当業者が容易に発明をすることができたものとすることはできない。
　さらに、甲第２ないし６号証のいずれにも、上記相違点３に係る本件発明９の特定事項は記載も示唆もされていないことから、甲第２ないし６号証について検討しても、本件発明９は、甲第１ないし７号証に基づいて当業者が容易に発明をすることができたものとすることはできない。
 　  
エ　本件発明２ないし７について  
 　本件発明２ないし７は、本件発明１を引用する発明であって、本件発明１の発明特定事項をさらに限定するものである。そして、本件発明１が、上記アのとおり、甲第１号証記載の発明１及び周知技術に基づいて当業者が容易に発明をすることができたものとすることができない以上、同様の理由により、本件発明２ないし７は、甲第１号証記載の発明１及び周知技術に基づいて当業者が容易に発明をすることができたものとすることができない。
　さらに、甲第２ないし７号証のいずれにも、上記アで検討した相違点１に係る本件発明１の特定事項は記載も示唆もされていないことから、甲第２ないし７号証について検討しても、本件発明２ないし７は、甲第１ないし７号証に基づいて当業者が容易に発明をすることができたものとすることはできない。
　　
オ　本件発明１０について
　本件発明１０は、本件発明９を引用する発明であって、本件発明９の発明特定事項をさらに限定するものである。そして、本件発明９が、上記ウのとおり、甲第１号証記載の発明３及び甲第７号証に記載された事項に基づいて当業者が容易に発明をすることができたものとすることができない以上、同様の理由により、本件発明１０は、甲第１号証記載の発明３及び甲第７号証に記載された事項に基づいて当業者が容易に発明をすることができたものとすることができない。
　さらに、甲第２ないし６号証のいずれにも、上記ウで検討した相違点３に係る本件発明９の事項は記載も示唆もされていないことから、甲第２ないし６号について検討しても、本件発明１０は、甲第１ないし７号証に基づいて当業者が容易に発明をすることができたものとすることはできない。
　　
２　特許法第３６条第６項第２号について
（１）本件発明１について
　本件発明１の「・・・凸部と・・・凹部とを刃縁に沿って交互に並設した凹凸刃」という事項において、「凸部」及び「凹部」という事項が明確であるか否かについて検討する。
　上記本件発明１の「凸部」及び「凹部」は、それらを交互に並設することによって「凹凸刃」を構成するものであるから、「凹凸刃」における「凸部」と「凹部」ということができる。そして、辞書（広辞苑第五版）によれば、「凹凸」とは「へこみと出っぱり。平らでないさま。また、一様でないさま。でこぼこ。」と記載されていることからみて、凹凸刃の「へこみと出っぱり」のうち、上記「凸部」が「出っぱり」を指し、上記「凹部」が「へこみ」を指すものであることは、当業者が容易に理解することができる。
　さらに、願書に添付した明細書段落【００２６】には、「この凹凸刃１１においては、複数の凸部１２と複数の凹部１３とが刃縁１０の延設方向Ｘに沿って交互に並設されている。」と記載されており、第１図ないし第４図、第６図（ａ）ないし第１４図（ａ）には、凹凸刃の形状が図示され、かつ、該凹凸刃のうち刃縁の表面が出っぱっている部分に凸部を示す符号１２が付され、刃縁の表面がへこんでいる部分に凹部を示す符号１３が付されていることからみても、上記のとおり理解できることは明らかである。
　したがって、本件発明１の「凸部」及び「凹部」なる事項が明確でないとすることはできない。
　なお、請求人は、「凸部」と「凹部」とを規定するには、「凸部」と「凹部」に共通の基準面を有することが必要がである旨主張すると共に、辞書（広辞苑第五版）には、「凸」とは「物の表面が部分的に出ぱっていること」、「凹」とは「物の表面が部分的にくぼんでいること」と記載されており、両記載における「物の表面」が上記共通の基準面に該当する旨主張している。
　しかしながら、上記辞書（広辞苑第五版）の「凹凸」の語義からみて、「凸」及び「凹」を規定するに際し、物の表面を共通の基準面としなければならないと解する理由はないことは明らかである。よって、請求人の上記主張は採用することができない。
　　
（２）本件発明２について
　請求人は、本件発明２における「横切刃」は書面を裁断することが不可能であって、本願の明細書に記載された横方向の切り込み３３が形成されるという効果は実現不可能であるから、本件発明２は不明確である旨主張している。そこで、本件発明２が不明確であるか否かについて検討する。
　本件発明２の「前記第二の鋏片の刃板において刃縁の凹凸刃の凸部及び凹部で厚み方向の両側には両鋏片の開閉時にこの第一の鋏片の両刃板の縦切刃に噛み合う縦切刃を設けるとともに、この第二の鋏片の刃板において刃縁の凹凸刃の凸部でこの両縦切刃間に横切刃を設け」という事項からみて、第一の鋏片と第二の鋏片の閉動により、まず、第二の鋏片の凸部に設けられた横切刃が書面に押し当てられることとなり、その後のさらなる閉動により、凹部も含め第二の鋏片が第一の鋏片の両刃板間に挿入されることとなることは明らかである。そして、当業者であれば、横切刃が書面に押し当てられることによって、被切断物が押し切られることとなることは、容易に理解することができる。
　したがって、本件発明２における「横切刃」は書面を裁断することが可能と言うことができるから、本件発明２が明確でないとすることはできない。
　　
（３）本件発明９について
　請求人は、本件発明９における「横切刃」は書面を裁断することが不可能であって、本願の明細書に記載された横方向の切り込み３３が形成されるという効果は実現不可能であるから、本件発明９は不明確である旨主張している。そこで、本件発明９が不明確であるか否かについて検討する。
　本件発明９の「この第一の鋏片の両刃板において回動支持部と刃先部との間に設けた刃縁にはその刃縁の延設方向に沿って延びる縦切刃を設け、この第二の鋏片の刃板において回動支持部と刃先部との間に設けた刃縁には一対の鋏片の開閉方向を含む面に沿って形成された凸部を設け、この凸部を含む刃縁で厚み方向の両側には両鋏片の開閉時にこの第一の鋏片の両刃板の縦切刃に噛み合う縦切刃を設けるとともに、この第二の鋏片の刃板における刃縁の凸部でこの両縦切刃間には横切刃を設け」という事項からみて、第一の鋏片と第二の鋏片の閉動により、まず、第二の鋏片の凸部に設けられた横切刃が被切断物に押し当てられることとなり、その後のさらなる閉動により、凹部も含め第二の鋏片が第一の鋏片の両刃板間に挿入されることとなることは明らかである。そして、当業者であれば、横切刃が書面に押し当てられることによって、書面が押し切られることとなることは容易に理解することができる。
　したがって、本件発明９における「横切刃」は書面を裁断することが可能と言うことができるから、本件発明９が明確でないとすることはできない。
 　　
　　 
第６　むすび  
　以上のとおりであるから、請求人の主張及び証拠方法によっては、本件発明１ないし１０についての特許を無効とすることはできない。 
　また、他に本件発明１ないし１０についての特許を無効とすべき理由を発見しない。 
　審判に関する費用については、特許法第１６９条第２項で準用する民事訴訟法第６１条の規定により、請求人が負担すべきものとする。 
　よって、結論のとおり審決する。